(57)【要約】【課題】液晶画面の照明のための操作に時間がかからず操作性が良く、特別な操作方法を覚えなくても必要なときに液晶画面が照明され、また必要性が低い場合にも液晶画面の照明が行われることを抑制して、無駄な電力消費を抑制することのできる照度計を提供する。【解決手段】受光部２と、受光部２による受光に応じた照度を測定する計測部３と、計測部により測定された照度を表示する液晶画面４１を備えた表示部４と、液晶画面４１を照明するライト５と、液晶画面４１における照度の表示値を保持するためのキー６２を備えた操作部６と、を有する照度計１は、キー６２の操作に応じて液晶画面４１における照度の表示値を保持させる保持実行手段３２と、液晶画面４１において保持された表示値に対応する照度値と所定値とを比較する比較手段３２と、比較手段３２の比較により照度値が所定値以下の場合にライト５により液晶画面４１を照明させる照明実行手段３２と、を有する構成とする。【選択図】図３
2015049051.tif 000002
【特許請求の範囲】
【請求項１】
受光部と、
前記受光部による受光に応じた照度を測定する計測部と、
前記計測部により測定された照度を表示する液晶画面を備えた表示部と、
前記液晶画面を照明するライトと、
前記液晶画面における照度の表示値を保持するためのキーを備えた操作部と、
を有する照度計において、
前記キーの操作に応じて前記液晶画面における照度の表示値を保持させる保持実行手段と、
前記液晶画面において保持された表示値に対応する照度値と所定値とを比較する比較手段と、
前記比較手段の比較により前記照度値が前記所定値以下の場合に前記ライトにより前記液晶画面を照明させる照明実行手段と、
を有することを特徴とする照度計。
【請求項２】
前記ライトは、前記液晶画面を照明するバックライト又はフロントライトであることを特徴とする請求項１に記載の照度計。
【請求項３】
更に、前記所定値を変更する変更手段を有することを特徴とする請求項１又は２に記載の照度計。
【請求項４】
前記保持実行手段は、前記前記保持キーが操作された時の前記液晶画面における照度の表示値を保持させることを特徴とする請求項１〜３のいずれか一項に記載の照度計。
【発明の詳細な説明】
【技術分野】
【０００１】
本発明は、例えば室内照明の明るさや照明機器の照度を測定するために用いられる照度計に関するものである。
【背景技術】
【０００２】
従来、光電池、光電管、ホトダイオードなどの光電効果素子を受光センサに用いて、外部から受けた光を電気信号に変えて照度の測定を行なう照度計が使用されている。
【０００３】
照度計は、受光センサなどを備える受光部と、各種キーなどを備える操作部と、液晶画面などを備える表示部と、演算制御装置などを備える計測部と、を有して構成される。また、操作部には、液晶画面における照度の表示値を保持（ホールド）するためのホールドキーが設けられている。ホールドキーが押されることにより、典型的にはほぼホールドキーが押された瞬間の照度の表示値が保持され、液晶画面に照度が数字などで表示される。
【０００４】
液晶は自ら発光しないので、表示部の液晶画面から測定の障害となるような光が受光部に入ることはないが、測定の対象とする光が弱く、周囲が暗い場合には、測定した照度の値を液晶画面に表示しても読み取り難い。
【０００５】
そこで、液晶画面を照明するバックライトなどのライトを設け、操作部にライトを点灯させるためのライトキーを設けて、必要なときにライトにより液晶画面を照明して、照度の表示値を読み取り易くすることが行われている。
【０００６】
ここで、液晶画面を照明するためにライトを点灯すると、その光が受光部の受光センサに入るため、照度を正確に測定できなくなる。したがって、ホールドキーとライトキーとが独立して設けられている場合には、先にホールドキーを押してから、バックライトキーを押す必要がある。
【０００７】
このような照度の表示値のホールドと液晶画面の照明との操作性を向上するために、次のような方法がある。すなわち、まず、キー（ホールドキーとライトキーの機能を兼ね備えているためホールドライトキーと呼ばれている。）が押されることによって、照度の表示値が保持される。その後、このキーが押された状態が所定時間（例えば、１秒間）維持されることによって、バックライトが点灯する。一方、そのキーが押された状態が維持された時間が上記所定時間未満の場合には、バックライトは点灯せず、照度の表示値のホールドだけが行われる。これによって、単一のキーの操作によって、照度の表示値を保持した後に、液晶画面を照明することができる（特許文献１）。
【先行技術文献】
【特許文献】
【０００８】
【特許文献１】特許第３４２１１５７号公報
【発明の概要】
【発明が解決しようとする課題】
【０００９】
しかしながら、上記従来の方法では、キーが押された状態が維持される時間が、液晶画面を照明するライトの点灯条件となっている。
【００１０】
そのため、繰り返し測定する場合などには、ライトの点灯操作に時間がかかることが問題になることがある。また、操作者がライトの点灯のための操作方法を知っている、すなわち、操作時に覚えていることが必要である。さらに、仮に操作者が周囲が明るいときに不用意にキーを長押ししてしまったような場合でも、ライトが点灯するため、電力を無駄に消費することがある。
【００１１】
したがって、本発明の目的は、液晶画面の照明のための操作に時間がかからず、操作性を向上することのできる照度計を提供することである。
【００１２】
本発明の他の目的は、特別な操作方法を覚えなくても、必要なときに液晶画面が照明される照度計を提供することである。
【００１３】
本発明の他の目的は、必要性が低い場合にも液晶画面の照明が行われてしまうことを抑制して、無駄な電力消費を抑制することのできる照度計を提供することである。
【課題を解決するための手段】
【００１４】
上記目的は本発明に係る照度計にて達成される。要約すれば、本発明は、受光部と、前記受光部による受光に応じた照度を測定する計測部と、前記計測部により測定された照度を表示する液晶画面を備えた表示部と、前記液晶画面を照明するライトと、前記液晶画面における照度の表示値を保持するためのキーを備えた操作部と、を有する照度計において、前記キーの操作に応じて前記液晶画面における照度の表示値を保持させる保持実行手段と、前記液晶画面において保持された表示値に対応する照度値と所定値とを比較する比較手段と、前記比較手段の比較により前記照度値が前記所定値以下の場合に前記ライトにより前記液晶画面を照明させる照明実行手段と、を有することを特徴とする照度計である。
【００１５】
本発明の一実施態様によると、前記ライトは、前記液晶画面を照明するバックライトである。また、本発明の一実施態様によると、照度計は更に、前記所定値を変更する変更手段を有する。また、本発明の一実施態様によると、前記保持実行手段は、前記前記保持キーが操作された時の前記液晶画面における照度の表示値を保持させる。
【発明の効果】
【００１６】
本発明によれば、液晶画面の照明のための操作に時間がかからず、操作性を向上することができる。また、本発明によれば、特別な操作方法を覚えなくても、必要なときに液晶画面が照明される。また、本発明によれば、必要性が低い場合にも液晶画面の照明が行われてしまうことを抑制して、無駄な電力消費を抑制することができる。
【図面の簡単な説明】
【００１７】
【図１】本発明の一実施例に係る照度計の外観を示す平面図である。
【図２】本発明の一実施例に係る照度計の構成を示すブロック図である。
【図３】本発明の一実施例におけるホールド動作の手順を示すフローチャートである。
【図４】本発明の一実施例におけるホールド動作の手順の他の例を示すフローチャートである。
【図５】本発明の一実施例において適用し得るバックライトを任意に点灯、消灯する動作の手順を示すフローチャートである。
【発明を実施するための形態】
【００１８】
以下、本発明に係る照度計を図面に則して更に詳しく説明する。
【００１９】
実施例１
図１は、本発明の一実施例に係る照度計の外観を示す平面図、図２は、その照度計の構成を示すブロック図である。
【００２０】
図１、図２に示すように、照度計１は、その外部から光を受ける受光部２と、受光部２による受光に応じた照度を測定する計測部３と、計測部３により測定された照度を表示する液晶画面４１を備えた表示部４と、液晶画面４１を照明するライトとしてのバックライト５と、各種操作を行うための操作部６と、を有する。
【００２１】
受光部２には、光電効果素子としてのホトダイオードなどの受光センサ２１が、外部に臨むように設けられている。また、受光部２には、図示しない増幅器、Ａ−Ｄ変換器なども設けられている。
【００２２】
計測部３は、演算制御装置であるマイクロコンピュータ３１を有する。マイクロコンピュータ３１は、制御の中心的素子であるＣＰＵ（中央処理装置）３２、記憶素子であるＲＯＭ（読出し専用メモリ）３３及びＲＡＭ（読出し書込み可能メモリ）３４などを有する。ＣＰＵ３２は、プログラムの命令に従って照度計１の全体に対する制御を実行すると共に、算術、論理演算を行なって測定結果としての照度データを求め、その結果を一時的に記憶もする。ＲＯＭ３３には、照度計１の全体を制御するための制御プログラムが格納されている。また、ＲＡＭ３４には、ＣＰＵ３２で演算した照度データなどが記憶される。ＲＯＭ３３、ＲＡＭ３４、受光部２、表示部４、バックライト５、操作部６などは、ＣＰＵ３２と接続されている。
【００２３】
表示部４には、液晶画面（液晶ディスプレイ）４１が、外部に臨むように設けられている。液晶画面４１には、計測部３により測定された照度の値の他、選択したレンジ、照度の表示値の保持状態の有無などが表示される。
【００２４】
バックライト５は、表示部４が有する例えば透過型或いは半透過型等の液晶画面４１の背後に設置されている。バックライト５は、光源の他、導光部材（ライトガイド）、光拡散部材（拡散板）、光反射部材（反射板）などのいずれか又は全てを有して構成される。光源としては、発光ダイオード、有機ＥＬなどを使用することができる。本実施例では、バックライト５は、液晶画面４１の略全面を照明する。
【００２５】
操作部６には、図１中左側から右側に向かって順に、押下することで操作するメカニカルキーである、レンジキー６１、ホールドキー６２、０調整キー６３が、一列に並べられて外部に臨むように設けられている。レンジキー６１は、照度の測定範囲たるレンジを例えば５段階に切り換え、あるいは照度に合わせて最適なレンジを自動的に選択可能にするために操作されるキーである。ホールドキー６２は、詳しくは後述するように液晶画面４１における照度の表示値を保持するために操作されるキーである。また、０調整キー６３は、キャップで受光センサ２１を覆った時に表示される照度の値を０に調節するために操作されるキーである。
【００２６】
次に、本実施例の照度計１の動作を説明する。図３は、本実施例におけるホールド動作の手順を示すフローチャートである。
【００２７】
照度の測定に先立ち、受光部２の受光センサ２１を適宜キャップで覆ったり、外したりしながら、レンジキー６１、０調整キー６３を押し、レンジを設定し、照度の表示値を０に調整する。そして、照度の測定を開始し、液晶画面４１に表示される照度の値を保持する場合には、ホールドキー６２を押す。このとき、測定の対象とする光が弱く、周囲が暗い場合には、液晶画面４１に表示された照度の表示値が読み取り難い。そこで、本実施例では、ホールドキー６２の操作に応じてホールドされた照度値をバックライト５の点灯条件として用いて、必要なときに自動的にバックライト５が点灯するようにする。
【００２８】
図３を参照して、ＣＰＵ３２は、ホールドキー６２が押されると（Ｓ１０１）、ホールドキー６２が押された時、典型的にはほぼ押された瞬間の液晶画面４１における照度の表示値を保持状態にする（Ｓ１０２）。
【００２９】
次に、ＣＰＵ３２は、液晶画面４１において保持された表示値に対応する照度値と、予め設定されている所定値（閾値）、例えば１０ルクスとを比較して、照度値が該所定値以下であるか否かを判断する（Ｓ１０３）。
【００３０】
Ｓ１０３で所定値以下である（Ｙｅｓ）と判断した場合、ＣＰＵ３２は、バックライト５を点灯させる（Ｓ１０４）。これにより、液晶画面４１がバックライト５によって背後から照明を受けるため、暗い所でも液晶画面４１に表示された照度の表示値を容易に読み取ることができるようになる。また、必ず表示値が保持された後にバックライト５が点灯するため、バックライト５の光が受光部２の受光センサ２１に入っても、測定の障害にならない。その後、ＣＰＵ３２は、処理を終了させる。
【００３１】
一方、Ｓ１０３で所定値より大きい（Ｎｏ）と判断した場合、ＣＰＵ３２は、バックライト５を点灯させることなく、処理を終了させる。
【００３２】
このように、本実施例では、ＣＰＵ３２が、キー６２の操作に応じて液晶画面４１における照度の表示値を保持させる保持実行手段（保持実行部）、液晶画面４１において保持された表示値に対応する照度値と所定値とを比較する比較手段（比較部）、及び、該比較手段の比較により照度値が所定値以下の場合にライト５により液晶画面４１を照明させる照明実行手段（照明実行部）としての機能を有する。
【００３３】
上述のようなホールド動作によれば、バックライト５の点灯操作に時間がかからない。また、必要なとき（暗いとき）に自動的にバックライト５が点灯するため、操作者はバックライト５の点灯のための特別な操作方法を覚える必要が無い。また、必要性が低いとき（明るいとき）にはバックライト５が点灯しないので、無駄な電力消費を抑えることができる。
【００３４】
なお、上述の所定値（閾値）は１０ルクスに限定されるものではなく、適宜設定することができる。また、操作部６に該所定値の変更手段としてキーなどを設けて、操作者が任意に該所定値を変更できるようにしてもよい。
【００３５】
また、バックライト５の消灯は、点灯を開始して所定時間が経過した後に自動的に行うようにしてもよいし、操作部６におけるキーなどの操作によって行うようにしてもよい。表示値の保持状態の解除についても同様である。
【００３６】
例えば、ホールドキー６２をバックライト５の消灯、表示値の保持状態の解除のために用いることができる。図４は、この場合のホールド動作の手順を示すフローチャートである。図４におけるＳ２０１、Ｓ２０３、Ｓ２０４、Ｓ２０５の処理は、それぞれ図３におけるＳ１０１、Ｓ１０２、Ｓ１０３、Ｓ１０４の処理と同じである。ホールドキー６２が押されると（Ｓ２０１）、ＣＰＵ３２は、液晶画面４１における照度の表示値の保持が解除状態であるか否かを判断し（Ｓ２０２）、解除状態である（Ｙｅｓ）と判断した場合はＳ２０３に進み、以降図３の場合と同様の処理を実行する。一方、保持状態である（Ｎｏ）と判断した場合、ＣＰＵ３２は、バックライト５が消灯状態であるか否かを判断する（Ｓ２０６）。バックライト５が消灯状態である（Ｙｅｓ）と判断した場合、ＣＰＵ３２は、液晶画面４１における照度の表示値の保持状態を解除する（Ｓ２０７）。一方、バックライト５が点灯状態である（Ｎｏ）と判断した場合、ＣＰＵ３２は、バックライト５を消灯状態にし（Ｓ２０８）、その後液晶画面４１における照度の表示値の保持状態を解除する（Ｓ２０７）。
【００３７】
また、操作部６に、バックライト５の点灯、消灯を任意に切り替えるためのキー（バックライトキー）（図示せず）を設けて、これによってバックライト５の消灯を行うことができる。図５は、この場合のバックライトの点灯、消灯の動作の手順を示すフローチャートである。ＣＰＵ３２は、バックライトキーが押されると（Ｓ３０１）、バックライト５が消灯状態であるか否かを判断する（Ｓ３０２）。バックライト５が消灯状態である（Ｙｅｓ）と判断した場合、ＣＰＵ３２は、バックライト５を点灯させる（Ｓ３０３）。一方、バックライト５が点灯状態である（Ｎｏ）と判断した場合、ＣＰＵ３２は、バックライト５を消灯させる（Ｓ３０４）。このようなバックライトキーを設けた場合、前述のようにして自動的にバックライト５が点灯することに加えて、操作者が必要に応じて任意にバックライト５を点灯させることができる。
【００３８】
以上、本実施例によれば、液晶画面４１の照明のための操作に時間がかからず、操作性を向上することができる。また、本実施例によれば、特別な操作方法を覚えなくても、必要なときに液晶画面４１が照明される。また、本実施例によれば、必要性が低い場合にも液晶画面４１の照明が行われてしまうことを抑制して、無駄な電力消費を抑制することができる。
【００３９】
その他
本発明を具体的な実施例に則して説明したが、本発明は上述の実施例に限定されるものではない。
【００４０】
例えば、液晶画面を照明するライトは、バックライトに限定されるものではなく、液晶画面をその前面から照明するフロントライトなど、液晶画面を照明して表示値を読み取り易くできるものであれば、任意のライトを用いることができる。表示値の見やすさなどの観点から、液晶画面の略全面を照明するライトが好ましい。
【００４１】
また、操作部のキーは、押下することで操作するメカニカルキーに限定されるものではなく、静電容量検知式のタッチパネル式スイッチなどの、キーの物理的な移動を伴わないものであってもかまわない。
【符号の説明】
【００４２】
１          照度計
２          受光部
３          計測部
４          表示部
５          バックライト
６          操作部
３２        ＣＰＵ
４１        液晶画面
６２        ホールドキー
【図１】
2015049051.tif 000003
【図２】
2015049051.tif 000004
【図３】
2015049051.tif 000005
【図４】
2015049051.tif 000006
【図５】
2015049051.tif 000007